【事件の表示】
　平成８年特許願第６０９０３号「感熱転写媒体、オーバーコート転写媒体および印字方法」拒絶査定に対する審判事件［平成９年９月２２日出願公開、特開平９−２４８９７３］について、次のとおり審決する。
【結　論】
　本件審判の請求は、成り立たない。
【理　由】
１．手続の経緯・本願発明
　本願は、平成８年３月１８日の出願であって、その請求項１ないし２に係る発明は、平成１２年４月２１日及び平成１５年１０月３１日付けの手続補正書によって補正された明細書の記載からみて、その特許請求の範囲の請求項１ないし２に記載された事項により特定されるものであり、請求項１に係る発明は次のとおりのものと認める。
「画像を形成した後、該画像上にオーバーコート層を形成する印字方法であって、基材上に剥離層およびインク層をこの順に積層し、前記剥離層が熱硬化性樹脂を３０重量％以上含み、転写時に前記剥離層と前記インク層が前記基材から分離する感熱転写媒体を用意する工程；該感熱転写媒体に熱エネルギーを加えることにより、前記基材から分離した前記インク層および前記剥離層からなる転写パターンを被転写材に転写することで、被転写材上に画像を形成する工程；基材上に剥離保護層を有し、該剥離保護層が熱硬化性樹脂を３０重量％以上含み、転写時に前記剥離保護層が前記基材から分離するオーバーコート転写媒体を用意する工程；および前記オーバーコート転写媒体に熱エネルギーを加えることにより、形成した画像上に、前記基材から分離した前記剥離保護層を転写することで、前記画像上にオーバーコート層を形成する工程を有することを特徴とする印字方法。」
　
２．引用刊行物記載の発明
　当審における拒絶の理由に引用された、刊行物５、１、４には下記の事項がそれぞれ記載されている。
（刊行物５：特開平６−３４４６７７号公報の記載事項）
（１）「 基材フイルム上に、熱溶融性インキ層及び転写性保護層を面順次に設けてなることを特徴とする熱転写フイルム。」（【請求項１】）
（２）「 熱溶融性インキ層と剥離層との間に転写性保護層が設けられている請求項１に記載の熱転写フィルム」（【請求項４】）
（３）「 請求項１〜５に記載の熱転写フイルムの熱溶融性インキ層領域を受像シートに重ね、背面より画像状に熱を印加して、受像シートに画像を形成し、次いで転写層保護領域を上記画像面に重ね、熱転写フイルムの背面から熱を印加して少なくとも上記画像面を含む領域に保護層を転写することを特徴とする熱転写方法。」（【請求項６】）　
（４）「上記剥離層４は、基材フイルム１が剥離性の良いものである場合には不要である。又、接着剤層７，７’はインキ層２及び保護層３の転写性が良い場合には無くてもよい。尚、図中８はインキ層用保護層であり、適宜省略してもよい。又、基材フイルム１が易接着処理済の時にはプライマー層６は不要である。」（【０００７】）
（５）「上記インキ層と剥離層又は基材フイルムとの間には、転写後のインキ層の耐久性を向上させる為に、後述の保護層と同様な保護層８（図１参照）を薄く、即ち箔切れ可能な厚みに形成することが出来る。」
（【００１１】）
（６）「基材フイルムが剥離性の良いものである場合には、その面に直接熱溶融性インキ層及び転写性保護層を形成することが出来る。」
（【００１２】）
（７）「基材フイルム又は上記剥離層上に設ける転写性保護層３は、例えば、アクリル樹脂、ポリエステル樹脂、ポリウレタン樹脂等の透明性、耐摩耗性、耐薬品性等に優れた樹脂から形成する。」（【００１３】）
（８）「上記本発明の熱転写フイルムを用いる転写方法の１例として、カードの製造例を図３を参照して説明する。先ず、カード基材９の表面に、熱溶融性インキ層２を用い常法により所望の文字、記号等１０を印字する。更に転写保護層３を用いて上記文字等の画像１０上に保護層３を転写形成する。この様にして所望のカードが得られる。・・・保護層３を転写させ、熱溶融性インキによる画像１０と共に全体の画像の耐久性を向上させることが出来る。上記の転写に際しては、サーマルプリンターは、熱溶融性インキ転写用、保護層転写用と別々に（好ましくは連続して）設定してもよいし、又、これらの転写は、共通のプリンターで夫々印字エネルギーを適切に調整して行ってもよい。」（【００１６】）
（９）【図１】には、熱転写フィルムの断面図が記載されている。
　
（刊行物５記載の発明）
　上記記載事項（４）（６）から、剥離層４、接着層７，７’及びプライマー層６は、基材、インキ層及び保護層の剥離性や接着性がよい場合は省略してもよいものであることから、刊行物５には以下の発明（以下、「刊行物５記載の発明」という。）が記載されている。
「基材フイルム上に、転写後の熱溶融性インキ層の耐久性を向上させる為の樹脂から形成されるインキ層用保護層と熱溶融性インキ層をこの順に積層した熱溶融性インキ層領域、及び、透明性、耐摩耗性、耐薬品性等に優れた樹脂から形成される転写性保護層からなる転写層保護領域を設けてなる熱転写フイルムを用い、熱転写フイルムの熱溶融性インキ層領域を受像シートに重ね、背面より画像状に熱を印加して、受像シートに画像を形成し、次いで転写層保護領域を上記画像面に重ね、熱転写フイルムの背面から熱を印加して少なくとも上記画像面を含む領域に保護層を転写する熱転写方法。」
　
（刊行物１：特開平５−３２０５６号公報の記載事項）
（１）「本発明の成形体に対する転写層の形成方法に利用される転写用シートは、転写用シート基材と転写層とからなるもので、表面が離型性面とされている転写用シート基材と、該転写用シート基材における離型性面に形成されている転写層とを具備する。」【００１６】）
（２）「転写用シート基材と転写層との間の離型を確実に行ない得るようにすると共に、成形体の被転写面に転写された転写層に表面保護層が形成されるようにする目的で、転写用シート基材の表面に、耐擦傷性，耐薬品性，耐汚染性等に優れた性質を具備する剥離層を形成して置くことが好ましい。」（【００１８】）
（３）「なお、転写用シート基材の表面に形成される前記剥離層は、以下に記載するような熱硬化型樹脂や電離放射線硬化型樹脂により、通常０．１〜１０μ程度の厚さで形成されるのが好ましい。」（【００２０】）
（４）「転写用シート基材の離型性面に形成される転写層は、少なくとも装飾層を具備するものであり、」（【００２５】）
（５）「装飾層は、印刷インキによる印刷層を始め、・・・全面のベタ装飾層であっても、・・・良い。」（【００２６】）
　
（刊行物４：特開昭６１−１６２３８８号公報の記載事項）
（１）「インクシートのインク材を熱転写によって記録紙に記録するものにおいて、インクシートは熱転写記録用のインク材と記録物保護材とを区別してベースフィルム上の所定領域に塗布したものを用い、熱転写記録後、前記記録物保護材を前記記録部分に転写して記録層の保護層を形成するようにしたことを特徴とする熱転写記録方法。」（特許請求の範囲第１項）
（２）「インク材と記録物保護材とを区分してベースフィルム上の所定領域に塗布して熱転写記録に使用するインクシート。」
（特許請求の範囲第２項）
（３）「記録物保護材は熱硬化性のものであることを特徴とする特許請求の範囲第２項記載のインクシート。」（特許請求の範囲第３項）
　
３．対比
　本願請求項１に係る発明と刊行物５記載の発明とを比較する。
（ア）刊行物５記載の発明の「基材フィルム」「熱溶融性インキ層」「熱転写フィルムの熱溶融性インキ領域」「転写性保護層」「熱転写フィルムの転写層保護領域」「受像シート」「熱を印加し」は、本願請求項１に係る発明の「基材」「インク層」「感熱転写媒体」「剥離保護層」「オーバーコート転写媒体」「被転写材」「熱エネルギーを加える」に、それぞれ相当する。また、本願請求項１記載の発明では、「剥離性保護層」を画像上に転写したものを「オーバーコート層」と呼んでいる。
（イ）本願明細書には、「剥離層に含まれる熱硬化性樹脂の量が３０重量％未満の場合、転写された文字、図形等のパターンに十分な耐擦過性を付与できないからである。」（【０００９】）と記載されていることから、「剥離層」は、転写後のインク層を保護する機能も有するものであることが理解できる。また、刊行物５記載の発明の「転写後のインキ層の耐久性を向上させる為の保護層」は、基材との剥離性がよい場合は直接基材上に形成することができ、基材から剥離するものであることから、刊行物５記載の発明の「転写後のインキ層の耐久性を向上させる為の保護層」は、本願請求項１に係る発明の「剥離層」に相当する。
（ウ）刊行物５には、熱溶融性インキ層を用いて所望の文字、記号等を印字することが記載されていることから、刊行物５記載の発明の「熱転写方法」は、本願請求項１記載の発明の「印字方法」に相当する。
　以上のことから、本願請求項１に係る発明と刊行物５記載の発明との間には、下記のような一致点及び相違点がある。
　
（一致点）
　画像を形成した後、該画像上にオーバーコート層を形成する印字方法であって、基材上に剥離層およびインク層をこの順に積層し、前記剥離層が樹脂を含み、転写時に前記剥離層と前記インク層が前記基材から分離する感熱転写媒体に、熱エネルギーを加えることにより、前記基材から分離した前記インク層および前記剥離層からなる転写パターンを被転写材に転写することで、被転写材上に画像を形成する工程；基材上に剥離保護層を有し、該剥離保護層が樹脂を含み、転写時に前記剥離保護層が前記基材から分離するオーバーコート転写媒体に、熱エネルギーを加えることにより、形成した画像上に、前記基材から分離した前記剥離保護層を転写することで、前記画像上にオーバーコート層を形成する工程を有する印字方法。
　
（相違点１）
　本願請求項１に係る発明では、剥離層及び剥離保護層が熱可塑性樹脂を３０重量％以上含むのに対して、刊行物５には、転写後のインキ層の耐久性を向上させる為に後述の保護層と同様な保護層を形成することができること、後述の保護層である転写保護層は、アクリル樹脂、ポリエステル樹脂、ポリウレタン樹脂等の透明性、耐摩耗性、耐薬品性等に優れた樹脂から形成することが記載されているが、これらの層の樹脂として、選択的に熱硬化性樹脂を用い、熱硬化性樹脂を３０重量％以上含有させることは記載されていない点。
　
（相違点２）
　本願請求項１に係る発明では、感熱転写媒体とオーバーコート転写媒体を、別個に用意して用いているのに対して、刊行物５記載の発明では、一の基体フィルム上に熱溶融性インキ層領域と転写層保護領域を形成したものを用いている点。
　
４．判断
（相違点１について）
　刊行物５には、インキ層用保護層及び転写性保護層は、アクリル樹脂、ポリエステル樹脂、ポリウレタン樹脂等の透明性、耐摩耗性、耐薬品性等に優れた樹脂から形成することが記載されている。これらの樹脂は、熱可塑性樹脂及び熱硬化性樹脂のいずれをも含んでいる。また、刊行物１には、本願請求項１に係る発明のインク層に相当する転写層と基材との間の離型を確実に行ない、被転写面に転写された転写層に表面保護層が形成されるようにする目的で、基材の表面に、耐擦傷性，耐薬品性，耐汚染性等に優れた性質を具備する剥離層を形成すること、この剥離層は熱硬化型樹脂で形成されることが記載されており、また、刊行物４には、熱転写記録用のインクで熱転写記録後、本願請求項１に係る発明の剥離保護層に相当する記録物保護材を記録部分に転写して記録層の保護層を形成するものであり、記録物保護材が、熱硬化性のものであることが記載されていることから、刊行物５記載の発明において、インキ層用保護層及び転写性保護層の樹脂として、熱硬化性樹脂を選択し、耐摩耗性、耐薬品性等を満足するように、熱硬化性樹脂の含有率を決定することは当業者が容易になし得たものといえる。また、基体との剥離性、オーバーコート層の耐擦傷性、耐薬品性、転写されたインク層上の剥離層とその上に転写されたオーバーコート層との接着性がよい等の効果は、刊行物１の記載、或いは熱硬化性樹脂が本来備えている特性から予測し得る範囲のものである。
　
（相違点２について）
　感熱転写媒体のみからなるもの（特開平５−３２０５６号公報（刊行物１）、特開昭６３−８９３８４号公報、特開平３−５８８８８号公報）、またオーバーコート転写媒体のみからなるもの（例えば、特開平３−４５３９６号公報、特開平７−３０４２７５号公報）は周知であるから、刊行物５に記載のものにおいて、各領域を別個の基材上に設けたものとして用意することは当業者が適宜になし得ることである。
　
５．むすび
　以上のとおり、本願請求項１に係る発明は、引用刊行物５、１、４に記載された発明に基づいて当業者が容易に発明をすることができたものであるから、特許法第２９条第２項の規定により特許を受けることができない。
　したがって、他の請求項２についての判断を示すまでもなく、本願は拒絶すべきものである。
  よって、結論のとおり審決する。